(57)【要約】【課題】利用者へのサービス性を向上することが可能であるとともに改札処理効率を向上することが可能な券情報を有する券媒体、この券媒体を処理する券媒体処理機、この券媒体の券情報に基づいて改札処理を行う改札機及び改札方法を提供することを目的とする。【解決手段】  券媒体に記録された券情報に基づいて改札処理を行う改札機であって、投入口２から投入された券媒体を排出口３に向けて搬送する主搬送路１１と、主搬送路１１に沿って搬送された券媒体から券情報を読み取る読取ヘッド１４及び１５と、主搬送路１１上の所定位置において券媒体の表裏を反転する反転部１６と、を備え、読取ヘッド１４及び１５により読み取られた券情報のうち、券媒体の排出モードを指定するのに必要な排出モード指定情報に基づき、券媒体の表面または裏面を上に向けて排出口３から排出するよう制御することを特徴とする。【選択図】      図２
2005157473.tif 000002
【特許請求の範囲】
【請求項１】
改札機に投入され、改札処理を行うのに必要な券情報を有した券媒体であって、
前記券情報は、
券媒体を、その表面を上に向けて投入された際及びその裏面を上に向けて投入された際に、券媒体の表面または裏面を上に向けて排出するよう指定するのに必要な排出モード指定情報を含むことを特徴とする券媒体。
【請求項２】
改札機に投入され、改札処理を行うのに必要な券情報を有した券媒体であって、
前記券情報は、
その表面を上に向けて投入された際にその表面を上に向けて排出されるとともに、その裏面を上に向けて投入された際に券媒体の表裏を反転して表面を上に向けて排出される通常排出モードと、
その表面を上に向けて投入された際にその表面を上に向けて排出されるとともに、その裏面を上に向けて投入された際に券媒体の表裏を反転することなく裏面を上に向けて排出される無反転排出モードと、のいずれかを指定するのに必要な排出モード指定情報を含むことを特徴とする券媒体。
【請求項３】
改札機に投入され、改札処理を行うのに必要な券情報を有した券媒体であって、
前記券情報は、
その表面を上に向けて投入された際にその表面を上に向けて排出されるとともにその裏面を上に向けて投入された際に券媒体の表裏を反転して表面を上に向けて排出される通常排出モードと、
その表面を上に向けて投入された際に券媒体の表裏を反転して裏面を上に向けて排出されるとともにその裏面を上に向けて投入された際に券媒体の表裏を反転することなく裏面を上に向けて排出される裏面排出モードと、のいずれかを指定するのに必要な排出モード指定情報を含むことを特徴とする券媒体。
【請求項４】
改札機に投入され、改札処理を行うのに必要な券情報を有した券媒体であって、
前記券情報は、
その表面を上に向けて投入された際にその表面を上に向けて排出されるとともにその裏面を上に向けて投入された際に券媒体の表裏を反転して表面を上に向けて排出される通常排出モードと、
その表面を上に向けて投入された際にその表面を上に向けて排出されるとともにその裏面を上に向けて投入された際に券媒体の表裏を反転することなく裏面を上に向けて排出される無反転排出モードと、
その表面を上に向けて投入された際に券媒体の表裏を反転して裏面を上に向けて排出されるとともにその裏面を上に向けて投入された際に券媒体の表裏を反転することなく裏面を上に向けて排出される裏面排出モードと、のいずれかを指定するのに必要な排出モード指定情報を含むことを特徴とする券媒体。
【請求項５】
券媒体を、その表面を上に向けて改札機に投入した際及びその裏面を上に向けて改札機に投入した際に券媒体の表面または裏面を上に向けて排出される排出モードの指定入力を受け付ける入力手段と、
前記入力手段により指定入力を受け付けた排出モードに対応した排出モード指定情報を前記券媒体に記録する記録手段と、
を備えたことを特徴とする券媒体処理機。
【請求項６】
券媒体を、その表面を上に向けて改札機に投入した際にその表面を上に向けて排出されるとともにその裏面を上に向けて改札機に投入した際に券媒体の表裏を反転することなく裏面を上に向けて排出される無反転排出モードの指定入力を受け付ける入力手段と、
前記入力手段により指定入力を受け付けた排出モードに対応した排出モード指定情報を前記券媒体に記録する記録手段と、
を備えたことを特徴とする券媒体処理機。
【請求項７】
券媒体を、その表面を上に向けて改札機に投入した際に券媒体の表裏を反転して裏面を上に向けて排出されるとともにその裏面を上に向けて改札機に投入した際に券媒体の表裏を反転することなく裏面を上に向けて排出される裏面排出モードの指定入力を受け付ける入力手段と、
前記入力手段により指定入力を受け付けた排出モードに対応した排出モード指定情報を前記券媒体に記録する記録手段と、
を備えたことを特徴とする券媒体処理機。
【請求項８】
券媒体を、その表面を上に向けて改札機に投入した際にその表面を上に向けて排出されるとともにその裏面を上に向けて改札機に投入した際に券媒体の表裏を反転することなく裏面を上に向けて排出される無反転排出モードと、その表面を上に向けて改札機に投入した際に券媒体の表裏を反転して裏面を上に向けて排出されるとともにその裏面を上に向けて改札機に投入した際に券媒体の表裏を反転することなく裏面を上に向けて排出される裏面排出モードと、のいずれかの指定入力を受け付ける入力手段と、
前記入力手段により指定入力を受け付けた排出モードに対応した排出モード指定情報を前記券媒体に記録する記録手段と、
を備えたことを特徴とする券媒体処理機。
【請求項９】
投入口から投入された券媒体を所定の搬送路に沿って排出口に向けて搬送する搬送手段と、
前記搬送手段により搬送された券媒体から券情報を読み取る読取手段と、
前記搬送路上の所定位置において券媒体の表裏を反転する反転手段と、
前記読取手段により読み取られた券情報のうち、券媒体の排出モードを指定するのに必要な排出モード指定情報に基づき、券媒体の表面または裏面を上に向けて前記排出口から排出するよう制御する制御手段と、
を備えたことを特徴とする改札機。
【請求項１０】
投入口から投入された券媒体を所定の搬送路に沿って排出口に向けて搬送する搬送手段と、
前記搬送手段により搬送された券媒体から券情報を読み取る読取手段と、
前記搬送路上の所定位置において券媒体の表裏を反転する反転手段と、
前記読取手段により読み取られた券情報に基づいて、表面を上に向けて投入された券媒体であるか裏面を上に向けて投入された券媒体であるかを判定する判定手段と、
前記読取手段により読み取られた券情報に基づき、表裏反転しない旨の情報を含む券媒体について、前記判定手段により表面投入と判定された券媒体を前記反転手段に導くことなく前記排出口から排出するとともに、前記判定手段により裏面投入と判定された券媒体を前記反転手段に導いた後に前記排出口から排出するよう制御する制御手段と、
を備えたことを特徴とする改札機。
【請求項１１】
投入口から投入された券媒体を所定の搬送路に沿って排出口に向けて搬送する搬送手段と、
前記搬送手段により搬送された券媒体から券情報を読み取る読取手段と、
前記搬送路上の所定位置において券媒体の表裏を反転する反転手段と、
前記読取手段により読み取られた券情報に基づいて表面を上に向けて投入された券媒体であるか裏面を上に向けて投入された券媒体であるかを判定する判定手段と、
前記読取手段により読み取られた券情報に基づき、裏面を上に向けて排出する旨の情報を含む券媒体について、前記判定手段により表面投入と判定された券媒体を前記反転手段に導いた後に前記排出口から排出するとともに、前記判定手段により裏面投入と判定された券媒体を前記反転手段に導くことなく前記排出口から排出するよう制御する制御手段と、
を備えたことを特徴とする改札機。
【請求項１２】
投入口から投入された券媒体を所定の搬送路に沿って排出口に向けて搬送し、
搬送された券媒体から券情報を読み取り、
読み取られた券情報のうち、券媒体の排出モードを指定するのに必要な排出モード指定情報に基づき、前記搬送路上の所定位置に設けられ券媒体の表裏を反転する反転手段に選択的に券媒体を導き、その表面または裏面を上に向けて前記排出口から排出する、
ことを特徴とする改札方法。
【請求項１３】
投入口から投入された券媒体を所定の搬送路に沿って排出口に向けて搬送し、
搬送された券媒体から券情報を読み取り、
読み取られた券情報に基づいて、表面を上に向けて投入された券媒体であるか裏面を上に向けて投入された券媒体であるかを判定し、
読み取られた券情報に基づき、表裏反転しない旨の情報を含む券媒体について、表面投入と判定した券媒体を前記搬送路上の所定位置に設けられ券媒体の表裏を反転する反転手段に導くことなく前記排出口から排出するとともに、裏面投入と判定した券媒体を前記反転手段に導くことなく前記排出口から排出する、
ことを特徴とする改札方法。
【請求項１４】
投入口から投入された券媒体を所定の搬送路に沿って排出口に向けて搬送し、
搬送された券媒体から券情報を読み取り、
読み取られた券情報に基づいて、表面を上に向けて投入された券媒体であるか裏面を上に向けて投入された券媒体であるかを判定し、
読み取られた券情報に基づき、裏面を上に向けて排出する旨の情報を含む券媒体について、表面投入と判定した券媒体を前記搬送路上の所定位置に設けられ券媒体の表裏を反転する反転手段に導いた後に前記排出口から排出するとともに、裏面投入と判定した券媒体を前記反転手段に導くことなく前記排出口から排出する、
ことを特徴とする改札方法。
【発明の詳細な説明】
【技術分野】
【０００１】
この発明は、券媒体、券媒体処理機、改札機、及び、改札方法に係り、特に、所定の券情報を記録した券媒体、券媒体に所定の券情報を記録する券媒体処理機、券媒体に記録された券情報に基づいて改札処理を行う改札機及び改札方法に関する。
【背景技術】
【０００２】
近年、改札処理の省力化を目的として、改札機が導入されている。この改札機は、利用者が駅構内や遊戯施設などの施設内に入場する場合や、施設内から出場する場合などに、入場券、プリペイドカード、定期券、乗車券などの券媒体を取り込み、券媒体に記録された券情報に基づいて利用者の通行を許可するか否かの改札処理を行う。
【０００３】
このような改札機では、券媒体から券情報を読み取る読取ヘッドを介して投入口から投入された券媒体の投入姿勢を判定し、裏面を上に向けて投入された券媒体は反転部に導かれ、その表裏が反転される。そして、券媒体は表面を上に向けた排出姿勢で排出口から排出される（例えば、特許文献１参照。）。
【特許文献１】特開２０００−２２２６０７号公報
【発明の開示】
【発明が解決しようとする課題】
【０００４】
上述したような改札機では、券媒体の表面及び裏面を上に向けて投入口から投入したとしても、必ず表面を上に向けて排出口から排出されるため、排出された券媒体を受け取った利用者にとって、券面の記載内容が確認しやすいといった利点がある。
【０００５】
しかしながら、他の利用者が所持する券媒体との取り違いを防止することを意図する利用者、あるいは、障害者割引券など券面の記載内容があまり他人に見られたくない利用者にとっては、必ず表面を上に向けて排出口から排出されることが望ましいとは言い難い。つまり、利用者が意図的に裏面を上に向けて排出されるよう裏面を上に向けて投入した場合であっても、改札機側では無条件に券媒体を反転部に導き、表裏反転した後、表面を上に向けて排出してしまう。
【０００６】
このため、裏面を上に向けて排出することを望む利用者にとって、個人のプライバシーを十分に守ることができず、利用者へのサービス性の低下を招くといった課題がある。また、すべての券媒体を同一条件、すなわち、表面を上に向けた状態で排出するため、券媒体の取り違いが発生するおそれがあり、改札機での改札処理効率の低下を招くといった課題がある。
【０００７】
この発明は、上述した問題点に鑑みなされたものであって、その目的は、利用者へのサービス性を向上することが可能であるとともに改札処理効率を向上することが可能な券情報を有する券媒体、この券媒体を処理する券媒体処理機、この券媒体の券情報に基づいて改札処理を行う改札機及び改札方法を提供することにある。
【課題を解決するための手段】
【０００８】
この発明の第１の様態による券媒体は、
改札機に投入され、改札処理を行うのに必要な券情報を有した券媒体であって、
前記券情報は、
券媒体を、その表面を上に向けて投入された際及びその裏面を上に向けて投入された際に、券媒体の表面または裏面を上に向けて排出するよう指定するのに必要な排出モード指定情報を含むことを特徴とする。
【０００９】
この発明の第２の様態による券媒体処理機は、
券媒体を、その表面を上に向けて改札機に投入した際及びその裏面を上に向けて改札機に投入した際に券媒体の表面または裏面を上に向けて排出される排出モードの指定入力を受け付ける入力手段と、
前記入力手段により指定入力を受け付けた排出モードに対応した排出モード指定情報を前記券媒体に記録する記録手段と、
を備えたことを特徴とする。
【００１０】
この発明の第３の様態による改札機は、
投入口から投入された券媒体を所定の搬送路に沿って排出口に向けて搬送する搬送手段と、
前記搬送手段により搬送された券媒体から券情報を読み取る読取手段と、
前記搬送路上の所定位置において券媒体の表裏を反転する反転手段と、
前記読取手段により読み取られた券情報のうち、券媒体の排出モードを指定するのに必要な排出モード指定情報に基づき、券媒体の表面または裏面を上に向けて前記排出口から排出するよう制御する制御手段と、
を備えたことを特徴とする。
【００１１】
この発明の第４の様態による改札方法は、
投入口から投入された券媒体を所定の搬送路に沿って排出口に向けて搬送し、
搬送された券媒体から券情報を読み取り、
読み取られた券情報のうち、券媒体の排出モードを指定するのに必要な排出モード指定情報に基づき、前記搬送路上の所定位置に設けられ券媒体の表裏を反転する反転手段に選択的に券媒体を導き、その表面または裏面を上に向けて前記排出口から排出する、
ことを特徴とする。
【発明の効果】
【００１２】
この発明によれば、利用者へのサービス性を向上することが可能であるとともに改札処理効率を向上することが可能な券情報を有する券媒体、この券媒体を処理する券媒体処理機、この券媒体の券情報に基づいて改札処理を行う改札機及び改札方法を提供することができる。
【発明を実施するための最良の形態】
【００１３】
以下、この発明の一実施の形態に係る券媒体、券媒体処理機、改札機及び改札方法について図面を参照して説明する。
【００１４】
図１に示すような改札機は、通常、２台１組として施設の改札口などに設置され、両者の間に利用者が通行可能な改札通路が形成される。入場業務や出場業務などの改札処理を行う改札機は、本体１を備えている。この本体１には、施設内への入場時あるいは施設内からの出場時に、券媒体（普通券、回数券、特急券、座席指定券、定期券、プリペイドカードなどのほか、施設内への入場券など）が投入される投入口２、この投入口２で受け取った券媒体を排出する排出口３がそれぞれ設けられている。投入口２の近傍には、券媒体の投入を阻止するためのシャッタ（図示しない）が設けられている。
【００１５】
本体１における投入口２の近傍及び排出口３の前方には、それぞれ利用者や係員などに対して案内などの各種情報を表示する表示部４ａ及び４ｂが設けられている。本体１の改札通路側に面した側面の両端部には、それぞれ利用者の通行を制御する（通行阻止するまたは通行許可する）開閉動作可能なドア５が設けられている。このドア５は、通行可否の判定結果に基づいて開閉制御される。
【００１６】
本体１の上部には、利用者の改札通路を規定するための枠体６が立設されている。枠体６及び本体１の各改札通路側の側面には、利用者の通過を検知する複数の人間検知器７がそれぞれ設けられている。また、枠体６上には、小児券の投入、無効券の投入や機器の異常などの装置の動作状態を表示する状態表示部８が設けられている。
【００１７】
図２に示すように、この実施の形態に係る改札機の内部機構において、投入口２と排出口３との間には、投入口２から投入された券媒体を矢印ａ方向に沿って排出口３に向けて搬送するための主搬送路１１が形成されている。この主搬送路１１は、券媒体を搬送する搬送手段として機能する各種搬送ベルト及び搬送ローラなどで規定されている。
【００１８】
主搬送路１１には、投入口２から排出口３に沿い、分離部１２、整列部１３、読取手段として機能する読取ヘッド１４及び１５、書込ヘッド１８及び３８、読取ヘッド１９及び３９、入鋏部２０、印刷部２１及び２７、反転手段として機能する反転部１６、振分ゲート２２ｂ、集積部２３などが順に設けられている。
【００１９】
また、主搬送路１１から分岐した集札用搬送路２８が設けられ、さらに集札用搬送路２８から分岐した別集札用搬送路３２が設けられている。集札用搬送路２８上には、集札保留部２９、振分ゲート３０が順に設けられ、さらに、その先に集札部３１が設けられている。別集札用搬送路３２の先には、別集札部３３が設けられている。
【００２０】
投入口２は、投入された複数の券媒体を一括して受け取ることが可能である。分離部１２は、投入口２に一括して複数枚重ねて投入された券媒体を一時的に保留するとともに、これらの券媒体を搬送方向ａに沿ってずらして１枚ずつ分離する。整列部１３は、分離部１２から送出されてきた１枚ずつの券媒体を整列して読取ヘッド１４及び１５へ送出する。
【００２１】
読取ヘッド１４及び１５は、券媒体の裏面（他方の面）の磁気記録層に記録されているエンコード磁気情報を読み取るものである。読取ヘッド１４は、券媒体の裏面を上に向けて搬送された場合に上向きの磁気記録層を読み取る。読取ヘッド１５は、券媒体の表面（一方の面）を上に向けて（券媒体の裏面を下に向けて）搬送された場合に下向きの磁気記録層を読み取る。なお、読取ヘッド１４及び１５にそれぞれ対向して、プラテンローラ１４ａ及び１５ａが設けられている。
【００２２】
書込ヘッド１８及び３８は、券媒体の磁気記録層に対してエンコード磁気情報を記録する。読取ヘッド１９及び３９は、ベリファイ用のヘッドであり、書込ヘッド１８及び３９のそれぞれで記録されたエンコード磁気情報を読み取る。なお、書込ヘッド１８及び３８にそれぞれ対向して、プラテンローラ１８ａ及び３８ａが設けられている。また、読取ヘッド１９及び３９にそれぞれ対向して、プラテンローラ１９ａ及び３９ａが設けられている。
【００２３】
入鋏部２０は、主搬送路１１を搬送された券媒体に対して必要に応じて穿孔を形成する。印刷部２１は、主搬送路１１を搬送された券媒体に対して必要に応じてその表面に日付や改札場所名等の所定の情報を印刷する。印刷部２７は、主搬送路１１を搬送された券媒体に対して必要に応じてその裏面に日付や改札場所名等の所定の情報を印刷する。印刷部２１及び２７は、例えばサーマルヘッド及びインクリボンを用いた熱転写方式のプリンタにより構成されている。
【００２４】
反転部１６は、印刷部２１及び２７を通過した券媒体を搬送路１６ａにその搬送方向先頭側端部から取り込んだ後に、搬送路１６ｂを介してその搬送方向後方側端部から主搬送路１１へ放出することにより、券媒体の表裏を反転する。
【００２５】
振分ゲート２２ｂは、主搬送路１１を搬送された券媒体のうち、集札部３１あるいは別集札部３３に回収する券媒体を集札用搬送路２８に導く。排出口３から排出する券媒体は、主搬送路１１をそのまま集積部２３に向けて搬送される。
【００２６】
集積部２３は、一括投入された券媒体をサイズに応じて重ねて揃える。この集積部２３には、保留用のストッパ２３ａが設けられ、このストッパ２３ａにより、券媒体がまとめられる。まとめられた複数の券媒体は、排出口３から一括して排出される。
【００２７】
集札保留部２９は、券媒体を保留するストッパ２９ａにより構成され、このストッパ２９ａによって、券媒体が集札部３１あるいは別集札部３３へ回収される手前で一時的に保留される。また、振分ゲート３０は、集札用搬送路２８によって搬送されてきた券媒体を集札部３１あるいは別集札部３３へ選択的に振り分ける。
【００２８】
投入口２の近傍には、投入口２への券媒体の投入を検知する検知器５１が設けられている。排出口３の近傍には、排出口３からの券媒体の抜き取りを検知する検知器５２が設けられている。また、各搬送路上には、図示しない複数の検知器が配置され、搬送される券媒体の位置、券媒体の有無などを検知する。これら搬送路上の所定位置において券媒体を検知する検知器は、光学センサによって構成され、例えば搬送路を介して互いに対向配置された一対の発光素子と受光素子とによって構成される。
【００２９】
図３に示すように、改札機は、装置全体の制御を司るＣＰＵ６０を備えている。また、このＣＰＵ６０は、券媒体に記録された券情報に基づいて、改札処理を行う改札手段として機能する。
【００３０】
このＣＰＵ６０には、ＲＯＭ６１、ＲＡＭ６２、運賃メモリ６３、読取回路６４、書込回路６５、読取回路６６、振分制御回路６７、印刷駆動回路７７、ストッパ制御回路８３などが接続されている。
【００３１】
ＲＯＭ６１は、ＣＰＵ６０の制御プログラムを記憶している。ＲＡＭ６２は、制御プログラムのバッファとして情報を記憶するとともに、券媒体から読み取った情報、改札機内で発生した各種エラー情報などを記憶する。運賃メモリ６３は、入場駅（から設置駅まで）に対応した運賃情報を記憶している。
【００３２】
読取回路６４は、読取ヘッド１４及び１５を制御する。書込回路６５は、書込ヘッド１８及び３８を制御する。読取回路６６、読取ヘッド１９及び３９を制御する。振分制御回路６７は、振分ゲート２２ｂ及び３０を制御する。印刷駆動回路７７は、印刷部２１及び２７の駆動を制御する。ストッパ制御回路８３は、ストッパ２３ａ、２９ａを駆動するストッパ移動機構８２を制御する。
【００３３】
また、ＣＰＵ６０には、分離制御回路６９、検知回路６８、搬送制御回路７３、通過検知回路７４、ドア制御回路７６、表示制御回路７１、入鋏制御回路７８、シャッタ制御回路８１、音声出力回路８５、通信制御回路７９などが接続されている。
【００３４】
分離制御回路６９は、分離部１２における各部の駆動を制御する。検知回路６８は、検知器５１からの出力信号に基づいた投入口２での券媒体の投入状態や、検知器５２からの出力信号に基づいた排出口３での券媒体の抜き取り、各搬送路上の各位置に配置され券媒体を検知する各種検知器からの出力信号に基づいた券媒体の搬送状態などを検知する。
【００３５】
搬送制御回路７３は、券媒体を搬送する主搬送路１１、反転部１６などの各搬送路、集札用搬送路２８、別集札用搬送路３２などを形成する搬送ベルトや搬送ローラを回転させる搬送用モータ７２の駆動を制御する。この搬送用モータ７２は、所定の搬送路に沿って券媒体を搬送する搬送手段として機能する。
【００３６】
通過検知回路７４は、人間検知器７からの出力信号に基づいて利用者の通過（移動位置）を検知する。ドア制御回路７６は、ドア５を駆動するドア開閉機構７５を制御する。表示制御回路７１は、表示部４ａ及び４ｂ、状態表示部８などの各種表示部の駆動を制御する。
【００３７】
入鋏制御回路７８は、入鋏部２０を制御する。シャッタ制御回路８１は、シャッタを駆動するシャッタ開閉機構８０を制御する。音声出力回路８５は、音声にて操作案内を行うスピーカ８４を駆動する。通信制御回路７９は、自動改札機を制御する係員監視装置８７あるいはホストコンピュータ等との間で情報通信を行う。
【００３８】
図４に示すように、上述したような改札機に適用可能な券媒体Ｔは、改札処理を行うのに必要な券情報を記録した磁気記録層ＭＲを備えている。この券情報は、例えば券媒体の発行日、発行場所、有効期間、利用可能区間、料金、経由地などに対応した情報、利用者の住所、氏名、年齢、生年月日、性別などに対応した情報、さらに、排出モード指定情報を含んでいる。
【００３９】
この排出モード指定情報は、券媒体を、改札機の投入口からその表面を上方側に向けて（表面を視認できる側となる状態で）投入した際（表面投入）及びその裏面を上方側に向けて（裏面を視認できる側となる状態で）投入した際（裏面投入）に、改札機の排出口から券媒体の表面を上方側に向けて（表面が視認できる側となる状態で）排出する（表面排出）または裏面を上方側に向けて（裏面が視認できる側となる状態で）排出する（裏面排出）よう指定するのに必要な情報である。
【００４０】
より具体的に説明すると、排出モード指定情報は、通常排出モード、無反転排出モード、及び、裏面排出モードのいずれかを指定するための情報である。通常排出モードはカテゴリ「０」に対応するものとし、無反転排出モードはカテゴリ「１」に対応し、裏面排出モードはカテゴリ「２」に対応するものとする。
【００４１】
通常排出モードは、券媒体を表面投入した際に表裏を反転することなく表面排出されるとともに、券媒体を裏面投入した際に表裏を反転して表面排出されるモードである。無反転排出モードは、券媒体を表面投入した際に表裏を反転することなく表面排出されるとともに、券媒体を裏面投入した際に表裏を反転することなく裏面排出されるモードである。裏面排出モードは、券媒体を表面投入した際に表裏を反転して裏面排出されるとともに、券媒体を裏面投入した際に表裏を反転することなく裏面排出されるモードである。
【００４２】
券情報としては、通常排出モードを指定するための排出モード指定情報（カテゴリ「０」）を必ず含み、無反転排出モードを指定するための排出モード指定情報（カテゴリ「１」）及び裏面排出モードを指定するための排出モード指定情報（カテゴリ「２」）の少なくとも一方を含むものとする。なお、図４に示した例では、券情報は、通常排出モード、無反転排出モード、及び、裏面排出モードのいずれかを指定可能な排出モード指定情報に設定されている。
【００４３】
改札機におけるＣＰＵ６０は、上述したような排出モード指定情報を有する券媒体が投入口２から投入されたのに基づき、券媒体から読取ヘッド１４及び１５のいずれかを介して券媒体の磁気記録層から券情報を読み取り、この券情報に基づいて表面投入の券媒体であるか裏面投入の券媒体であるかを判定する判定手段として機能する。
【００４４】
また、ＣＰＵ６０は、券情報のうち、排出モード指定情報に基づき、券媒体を表面排出するか裏面排出するかを判断し、これに基づいて所定の面を上に向けて排出口から券媒体を排出するよう制御する制御手段として機能する。
【００４５】
次に、上述したような券情報を含む券媒体を処理する券媒体処理機について説明する。ここで説明する券媒体処理機は、券媒体に対して券情報を記録することが可能なものであれば特に限定されず、普通券、回数券、特急券、座席指定券、プリペイドカード、入場券などの券媒体を発行する券売機や、定期券を発行する定期券発行機、さらには、精算機などに適用可能である。
【００４６】
図５に示すように、券媒体処理機は、ＣＰＵ１００を備えている。このＣＰＵ１００には、メモリ部１０２、表示部１０４、入力手段として機能する入力部１０６、記録手段として機能する磁気処理部１０８などが接続されている。
【００４７】
メモリ部１０２には、ＣＰＵ１００の制御プログラムを記憶しているＲＯＭ、券媒体から読み取った券情報を一時的に記憶するとともに制御プログラムのバッファとして情報を記憶するＲＡＭ、路線毎及び経路毎に発行可能な券媒体を処理するのに必要な運賃情報を記憶している運賃メモリなどを備えて構成されている。
【００４８】
表示部１０４は、利用者によって投入された現金、すなわち紙幣及び硬貨の合計投入金額、投入されたプリペイドカードの残額、購入した券媒体の金額、釣銭の金額、券媒体を発行するの必要な種々の条件設定画面、券媒体処理機の動作状態など種々の情報を表示する。
【００４９】
入力部１０６は、券媒体を発行するのに必要な種々の条件設定の入力を受け付ける。また、この入力部１０６は、券媒体の排出モードすなわち通常排出モードの他に無反転排出モード及び裏面排出モードのいずれかの指定入力を受け付ける。この入力部１０６を介した排出モードの指定がない場合には、通常排出モードが選択され、排出モード指定情報としてカテゴリ「０」が設定される。また、入力部１０６を介して無反転排出モードの指定入力を受け付けた場合には、排出モード指定情報としてカテゴリ「１」が設定される。あるいは、入力部１０６を介して裏面排出モードの指定入力を受け付けた場合には、排出モード指定情報としてカテゴリ「２」が設定される。
【００５０】
磁気処理部１０８は、入力部１０６を介して設定された種々の条件に対応した券情報を券媒体の磁気記録層に記録する。この券情報には、排出モード指定情報が含まれる。このため、磁気処理部１０８は、入力部１０６を介した排出モードの指定入力を受け付けなかった場合及び入力部１０６を介して通常排出モードの指定入力を受け付けた場合に、排出モード指定情報としてカテゴリ「０」を券媒体に記録する。また、磁気処理部１０８は、入力部１０６を介して無反転排出モードの指定入力を受け付けた場合に、排出モード指定情報としてカテゴリ「１」を券媒体に記録する。あるいは、磁気処理部１０８は、入力部１０６を介して裏面排出モードの指定入力を受け付けた場合に、排出モード指定情報としてカテゴリ「２」を券媒体に記録する。
【００５１】
次に、上述したような券媒体処理機において、券媒体の排出モードを指定するための方法について、図６に示したフローチャートを参照して説明する。  
券媒体処理機のＣＰＵ１００は、まず、排出モードの指定要求を受け付けたか否かを判断する（ＳＴ１１）。例えば、券売機では、券媒体を発行する際、種々の条件設定を受け付けるタイミングであって券媒体の発行動作を開始する前のタイミングにおいて、表示部１０４に図７に示すような案内画面を表示する。また、定期券発行機では、定期券を発行する際、種々の条件設定を受け付けるタイミングであって定期券の発行動作を開始する前のタイミングにおいて、表示部１０４に図８に示すような案内画面を表示する。さらに、精算機などの各種券媒体処理機においては、券媒体が投入された後のタイミングにおいて、表示部１０４に同様の案内画面を表示しても良い。
【００５２】
続いて、ＣＰＵ１００は、入力部１０６を介して排出モードの指定要求を受け付けたのに基づいて（あるいは、タッチパネル内蔵の表示部１０４では排出モード指定を要求する表示ボタンの接触を検知したのに基づいて）（ＳＴ１１、Ｙ）、表示部１０４を制御して排出モード指定入力画面を表示する（ＳＴ１２）。
【００５３】
表示部１０４には、例えば、図９に示すような指定入力画面が表示され、表面を上に向けて排出する通常排出モードの指定入力を受け付ける通常排出モードボタンＢ１、表裏反転をすることなく排出する無反転排出モードの指定入力を受け付ける無反転排出モードボタンＢ２、及び、裏面を上に向けて排出する裏面排出モードの指定入力を受け付ける裏面排出モードボタンＢ３を表示する。
【００５４】
続いて、ＣＰＵ１００は、入力部１０６を介して通常排出モード、無反転排出モード、及び、裏面排出モードのいずれかの指定入力を受け付けたか（あるいは、タッチパネル内蔵の表示部１０４では通常排出モードボタンＢ１、無反転排出モードボタンＢ２、及び、裏面排出モードボタンＢ３のいずれかの接触を検知したか）否かを判断する（ＳＴ１３）。
【００５５】
そして、ＣＰＵ１００は、入力部１０６を介していずれかの排出モードの指定入力を受け付けたのに基づいて（あるいは、タッチパネル内蔵の表示部１０４ではいずれかの排出モードボタンの接触を検知したのに基づいて）（ＳＴ１３、Ｙ）、磁気処理部１０８を制御して券媒体の磁気記録層に排出モード指定情報を記録する（ＳＴ１４）。このとき、必要に応じてその他の券情報も券媒体の磁気記録層に同様に記録される。そして、排出モード指定情報を有した券媒体が発行される。
【００５６】
次に、上述した改札機において、券媒体に記録された排出モード指定情報に基づく排出モードの制御方法について、図１０に示したフローチャートを参照して説明する。
【００５７】
改札機のＣＰＵ６０は、検知回路６８を制御して投入口２に設けられた検知器５１からの出力信号に基づき、券媒体が投入されたか否かを検知する（ＳＴ２１）。そして、ＣＰＵ６０は、券媒体が投入されたのを検知したのに基づいて（ＳＴ２１、Ｙ）、主搬送路１１に沿って排出口３に向けて券媒体を搬送する。
【００５８】
続いて、ＣＰＵ６０は、読取回路６４を制御して読取ヘッド１４及び１５のいずれかを介して搬送された券媒体の磁気記録層から券情報を読み取る（ＳＴ２２）。続いて、ＣＰＵ６０は、券媒体から読み取った券情報に基づいて、改札処理を行う（ＳＴ２３）。
【００５９】
続いて、ＣＰＵ６０は、改札処理を行った結果、券媒体を排出する必要があるか否かを判断する（ＳＴ２４）。例えば、駅構内や施設内への入場時、投入口から投入された券媒体が定期券など利用者に返却する必要がある場合、改札処理により利用者の改札通路の通行を阻止する場合などは、券媒体を排出口３から排出するものと判断する。
【００６０】
続いて、ＣＰＵ６０は、券媒体を排出する必要がないと判断したのに基づいて（ＳＴ２４、Ｎ）、券媒体を主搬送路１１に沿ってさらに下流側に搬送し、振分制御回路６７を制御して振分ゲート２２ｂを作動させ、券媒体を集札用搬送路２８に導き、集札部３１または別集札部３３に集札する（ＳＴ２５）。
【００６１】
一方、ＣＰＵ６０は、券媒体を排出する必要があると判断したのに基づいて（ＳＴ２４、Ｙ）、読み取った券情報に基づき、券媒体の投入面を判定する（ＳＴ２６）。すなわち、ＣＰＵ６０は、投入口２から投入された券媒体から読取ヘッド１４を介して券情報を読み取った場合には裏面投入であると判定し、読取ヘッド１５を介して券情報を読み取った場合に表面投入であると判定する。
【００６２】
続いて、ＣＰＵ６０は、排出口３から排出する必要があると判断した券媒体について、主搬送路１１に沿ってさらに下流側に搬送し、排出口３から排出する（ＳＴ２７）。このとき、ＣＰＵ６０は、まず、読み取った券情報に基づき、いずれの排出モード指定情報が設定されているかを判断する。
【００６３】
そして、表面投入であると判定した券媒体については、ＣＰＵ６０は、券媒体の排出モード指定情報に基づき、券媒体の表面または裏面を上に向けて排出口３から排出するよう制御する。
【００６４】
すなわち、ＣＰＵ６０は、排出モード指定情報が通常排出モードに対応したカテゴリ「０」であると判断した場合、券媒体を反転部１６に導くことなく排出口３から排出する（表面排出）。また、ＣＰＵ６０は、排出モード指定情報が無反転排出モードに対応したカテゴリ「１」であると判断した場合、券媒体を反転部１６に導くことなく排出口３から排出する（表面排出）。さらに、ＣＰＵ６０は、排出モード指定情報が裏面排出モードに対応したカテゴリ「２」であると判断した場合、券媒体を反転部１６に導いて券媒体の表裏を反転した後に排出口３から排出する（裏面排出）。
【００６５】
また、裏面投入であると判定した券媒体については、ＣＰＵ６０は、券媒体の排出モード指定情報に基づき、券媒体の表面または裏面を上に向けて排出口３から排出するよう制御する。
【００６６】
すなわち、ＣＰＵ６０は、排出モード指定情報が通常排出モードに対応したカテゴリ「０」であると判断した場合、券媒体を反転部１６に導いて券媒体の表裏を反転した後に排出口３から排出する（表面排出）。また、ＣＰＵ６０は、排出モード指定情報が無反転排出モードに対応したカテゴリ「１」であると判断した場合、券媒体を反転部１６に導くことなく排出口３から排出する（裏面排出）。さらに、ＣＰＵ６０は、排出モード指定情報が裏面排出モードに対応したカテゴリ「２」であると判断した場合、券媒体を反転部１６に導くことなく排出口３から排出する（裏面排出）。
【００６７】
上述したような実施の形態によれば、予め券媒体に排出モード指定情報を設定しておくことにより、対応した排出モードで券媒体を排出可能である。つまり、無反転排出モードもしくは裏面排出モードに対応した排出モード指定情報を設定した券媒体については、裏面投入した際に反転部に導くことなく裏面排出される。
【００６８】
このため、他の利用者が所持する券媒体との取り違いを防止することを意図する利用者にとって、投入した券媒体を裏面排出することが可能となり、改札処理効率を向上することが可能となる。また、障害者割引券など券面の記載内容があまり他人に見られたくない利用者にとっては、個人のプライバシーを守ることができ、サービス性及び利便性を向上することが可能となる。
【００６９】
なお、この発明は、上記実施形態そのままに限定されるものではなく、その実施の段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００７０】
【図１】図１は、この発明の一実施の形態に係る改札機の外観を概略的に示す斜視図である。
【図２】図２は、図１に示した改札機の内部構造を概略的に示す図である。
【図３】図３は、図１に示した改札機の制御系の構成を概略的に示すブロック図である。
【図４】図４は、図１に示した改札機に適用可能な券媒体に記録された券情報の一例を示す図である。
【図５】図５は、この発明の一実施の形態に係る券媒体処理機の構成を概略的に示す図である。
【図６】図６は、図５に示した券媒体処理機における券媒体の処理動作を説明するためのフローチャートである。
【図７】図７は、図５に示した券媒体処理機における券媒体の排出モードを指定するための案内画面の一例を示す図である。
【図８】図８は、図５に示した券媒体処理機における券媒体の排出モードを指定するための案内画面の他の例を示す図である。
【図９】図９は、図５に示した券媒体処理機における券媒体の排出モード指定入力画面の一例を示す図である。
【図１０】図１０は、図１に示した改札機における券媒体の排出モードの制御方方法を説明するためのフローチャートである。
【符号の説明】
【００７１】
１…改札機本体、２…投入口、３…排出口、１１…主搬送路（搬送手段）、１４…読取ヘッド（読取手段）、１５…読取ヘッド（読取手段）、１６…反転部（反転手段）、６０…ＣＰＵ（判定手段、制御手段）、１００…ＣＰＵ、１０２…メモリ部、１０４…表示部、１０６…入力部、１０８…磁気処理部、Ｔ…券媒体、ＭＲ…磁気記録層
【図１】
2005157473.tif 000003
【図２】
2005157473.tif 000004
【図３】
2005157473.tif 000005
【図４】
2005157473.tif 000006
【図５】
2005157473.tif 000007
【図６】
2005157473.tif 000008
【図７】
2005157473.tif 000009
【図８】
2005157473.tif 000010
【図９】
2005157473.tif 000011
【図１０】
2005157473.tif 000012